(57)【要約】【課題】  複数台のコントローラーにそれぞれ対応させて設けられているディスプレイに表示される画面を簡単な操作で切り替える。【解決手段】  ＦＤＣ１４−１において、制御対象をＤＡＷａとする切替スイッチが押されたとする。ＦＤＣ１４−１の通信端子ＣＯＭ１から制御対象をＤＡＷａとする切替指示のコマンドが出力されて、ディスプレイ切替器１１−１に供給される。ディスプレイ切替器１１−１では、このコマンドの切替指示に基づいて入力端子ＤＩ１１に供給されているＰＣ１０−２のディスプレイ端子（１）からの画像情報を出力端子ＤＯ１から出力するように状態を切り替える。管理アプリＭはＦＤＣ１４−２，１４−３とＭＣ１５に対して制御対象をＤＡＷａとする切り替えの指示を第１の通信網２−１を利用して送信する。ＦＤＣ１４−２，１４−３とＭＣ１５は、通信端子ＣＯＭ２〜４から制御対象をＤＡＷａとする切替指示のコマンドを出力して、ディスプレイ切替器１１−２〜１１−４に供給する。【選択図】  図３
2013138358.tif 000002
【特許請求の範囲】
【請求項１】
音響信号データの音響処理を行う音響信号処理部と、該音響信号処理部の制御を行うコントローラーと、該コントローラーに対応して設けられている表示部と、該表示部を制御して、複数の前記コントローラーに対応して用意されているコントローラー画面を表示する表示制御部とから構成された音響信号処理システムにおける前記コントローラーであって、
前記音響信号処理に対する制御指示を前記音響信号処理部に送信する制御指示送信手段と、
前記表示部に表示する画面を、自機に対応して用意されている前記コントローラー画面から、他の前記コントローラーに対応して用意されている他の前記コントローラー画面へ切り替える指示を、前記表示制御部へ送る送信手段と、
を有することを特徴とするコントローラー。
【請求項２】
音響信号データの音響処理を行う音響信号処理部と、
該音響信号処理部の制御を行うコントローラーと、
該コントローラーに対応して設けられている表示部と、
該表示部を制御して、複数の前記コントローラーに対応して用意されているコントローラー画面を表示する表示制御部とを備え、
前記コントローラーは、
前記音響信号処理に対する制御指示を前記音響信号処理部に送信する制御指示送信手段と、
前記表示部に表示する画面を、自機に対応して用意されている前記コントローラー画面から、他の前記コントローラーに対応して用意されている他の前記コントローラー画面へ切り替える指示を、前記表示制御部へ送る送信手段と、
を有することを特徴とする音響信号処理システム。
【発明の詳細な説明】
【技術分野】
【０００１】
この発明は、音響信号処理アプリケーションを操作するコントローラーおよび音響信号処理システムに関する。
【背景技術】
【０００２】
従来から、コンピューターのアプリケーションとして、音響信号データの録音や編集、ミキシング等の音響処理を行う音響信号処理アプリケーションが知られている。音響信号処理アプリケーションがインストールされるコンピューターは、パーソナルコンピューター（ＰＣ）等の汎用のコンピューターとされ、音響信号処理に必要なオーディオインターフェースやＭＩＤＩ（Musical Instrument Digital Interface）インターフェースなどの各種ハードウェア装置を備えている。音響信号処理アプリケーションをインストールしたコンピューターにおいては、音響信号データの録音や編集、あるいはエフェクト付与やミキシング等の音響信号処理が実現される。このようなコンピューターで実現される音響信号処理機能は、デジタルオーディオワークステーション（Digital Audio Workstation：ＤＡＷ）と呼ばれている。このＤＡＷをコンピューターに実行させる音響信号処理アプリケーションを、以下の説明においては「ＤＡＷソフト」という。
【０００３】
ＰＣで動作するＤＡＷは充実しており、ＰＣにＤＡＷソフトをインストールすることで個人でも簡単に音楽制作ができるようになる。また、ＤＡＷの機能が豊富となっており、マウス操作のみで全ての操作やパラメーターの設定を行うことは困難になってきている。このため、ＤＡＷソフトがインストールされたＰＣに、ＤＡＷ操作のための専用のコントローラーを接続して、このコントローラーに備えられている操作子を使用してＤＡＷの操作やパラメーターの設定を行うことが行われている。
また、従来、コンピュータに１台のコントローラーを外部接続し、コンピュータにおいて複数のアプリケーションを起動させる。このコントローラーは、コンピュータにおいて起動されている複数のアプリケーションのいずれかを制御対象とするアプリケーションとして選択することができ、選択された制御対象とされるアプリケーションの制御を行うようにすることが知られている。
【先行技術文献】
【特許文献】
【０００４】
【特許文献１】特開２００４−３１０５８８号公報
【発明の概要】
【発明が解決しようとする課題】
【０００５】
同じ操作対象のＤＡＷを複数人の操作者が操作するユースケースがある。このようなユースケースにおいて、それぞれの操作者が同時に異なる作業を行えるように、１つのＤＡＷに対して複数台のコントローラーを用意するシステムを発明者は提案している。この提案されたシステムにおいては、各操作者は、通常は自己の作業のための画面を参照しながらＤＡＷを操作する作業をしているが、他の操作者の作業内容を確認したい場合があり、他の操作者の作業のための画面を簡単な操作で一時的に確認できることが望まれている。
そこで、本発明は、上記操作者の要望を実現することができるコントローラーおよび音響信号処理システムを提供することを目的としている。
【課題を解決するための手段】
【０００６】
上記目的を達成するために、本発明のコントローラーは、音響信号データの音響処理を行う音響信号処理部と、該音響信号処理部の制御を行うコントローラーと、該コントローラーに対応して設けられている表示部と、該表示部を制御して、複数の前記コントローラーに対応して用意されているコントローラー画面を表示する表示制御部とから構成された音響信号処理システムにおける前記コントローラーであって、前記音響信号処理に対する制御指示を前記音響信号処理部に送信する制御指示送信手段と、前記表示部に表示する画面を、自機に対応して用意されている前記コントローラー画面から、他の前記コントローラーに対応して用意されている他の前記コントローラー画面へ切り替える指示を、前記表示制御部へ送る送信手段とを有することを最も主要な特徴としている。
【発明の効果】
【０００７】
本発明のコントローラーは、音響信号処理に対する制御指示を音響信号処理部に送信する制御指示送信手段と、表示部に表示する画面を、自機に対応して用意されているコントローラー画面から、他のコントローラーに対応して用意されている他のコントローラー画面へ切り替える指示を、表示制御部へ送る送信手段とを有している。このことから、コントローラーにそれぞれ対応させて設けられている表示部に表示されるコントローラー画面を簡単な操作で切り替えることができるので、他の操作者の作業のための画面を簡単な操作で確認することができる。すなわち、各操作者は、通常は自己の作業のためのコントローラー画面を参照し、一時的に他の操作者の作業内容を簡単な操作で確認することができるようになる。
【図面の簡単な説明】
【０００８】
【図１】本発明の実施例のコントローラーを用いる本発明の実施例の音響信号処理システムの概略的な構成を示す図である。
【図２】本発明の実施例の音響信号処理システムにおける第１の通信網の接続構成を示す図である。
【図３】本発明の実施例の音響信号処理システムにおける第２の通信網の接続構成を示す図である。
【図４】本発明の実施例の音響信号処理システムにおけるＰＣ上で動作中のＤＡＷのＧＵＩ画面の一例を示す図である。
【図５】本発明の実施例のコントローラーにかかるフェーダーコントローラーのハードウェア構成を示す回路ブロック図である。
【図６】本発明の実施例のコントローラーにかかるフェーダーコントローラーのパネル構成を示す図である。
【図７】本発明の実施例のコントローラーにかかるメインコントローラーのパネル構成を示す図である。
【図８】本発明の実施例の音響信号処理システムで実行されるＰＣ上で動作中のＤＡＷ切替の処理のフローチャートである。
【図９】本発明の実施例の音響信号処理システムで実行されるメイン切替の処理のフローチャートである。
【発明を実施するための形態】
【０００９】
本発明の実施例のコントローラーを用いる本発明の実施例の音響信号処理システムの概略的な構成を図１に示す。
図１に示すように、本発明の実施例の音響信号処理システム１は、通信網２に接続されている４台のパーソナルコンピュータ（以下、「ＰＣ」という）１０−１，１０−２，１０−３，１０−４と、３台のフェーダーコントローラー（以下、「ＦＤＣ」という）１４−１，１４−２，１４−３と１台のメインコントローラー（以下、「ＭＣ」という）１５と、ＦＤＣ１４−１〜１４−３とＭＣ１５にそれぞれ対応して設けられている４台のディスプレイ１３−１，１３−２，１３−３，１３−４とのデバイスを備えている。通信網２に接続されているデバイスは、通信網２を介して相互に情報のやりとりを行うことができる。通信網２は、少なくとも制御通信系と表示通信系の２種類の通信系を備えている通信網であり、以下に説明する実施例においては、制御通信系の第１の通信網と表示通信系の第２の通信網とから構成されている。その詳細については後述する。
【００１０】
４台のＰＣは、一般的なパーソナルコンピュータとされており、インストールされた管理アプリケーション（管理アプリＭ）が動作して、音響信号処理システム１を管理しているＰＣ１０−１と、音楽制作を行うためのアプリケーションである音楽作成アプリケーション（ＤＡＷソフト）がインストールされ、ＤＡＷａ，ＤＡＷｂ，ＤＡＷｃがそれぞれ動作している３台のＰＣ１０−２，１０−３，１０−４とから構成されている。この場合、ＰＣ毎に異なる音楽作成アプリケーションをインストールすることができ、ＰＣ１０−２〜１０−４で動作しているＤＡＷａ，ＤＡＷｂ，ＤＡＷｃは、それぞれ独立して動作している。ＤＡＷａ，ＤＡＷｂ，ＤＡＷｃは、それぞれ音楽制作のための各種の処理を実行することができ、主に音楽コンテンツの作成や音楽のミキシングやリアルタイム録音などの音響信号処理機能が実現されている。
【００１１】
３台のＦＤＣ１４−１，１４−２，１４−３とＭＣ１５とは、本発明の実施例のコントローラーとされている。ＦＤＣ１４−１〜１４−３のそれぞれには、レベルを調整するための複数本のフェーダやＤＡＷａ，ＤＡＷｂ，ＤＡＷｃの内の制御対象とされるＤＡＷを切り替える操作子などが設けられている。ＭＣ１５は、ＦＤＣの機能を拡張するためのコントローラーであり、各種操作を行うための操作子やＤＡＷａ，ＤＡＷｂ，ＤＡＷｃの内の制御対象とされるＤＡＷを切り替える操作子が設けられている。これらのＦＤＣ１４−１〜１４−３およびＭＣ１５は、音楽作成アプリケーションを操作するための専用のコントローラー（フィジカルコントローラー）であり、後述するようにＦＤＣ１４−１〜１４−３とＭＣ１５とでは機能が異なっている。３台のＦＤＣ１４−１，１４−２，１４−３とＭＣ１５とは、まとめて１つのＤＡＷ用のコントローラとして同時に使用するようにされており、ＤＡＷａ，ＤＡＷｂ，ＤＡＷｃのいずれかを制御対象として、制御対象のＤＡＷを操作するためのコントローラーとされている。
【００１２】
４台のディスプレイ１３−１，１３−２，１３−３，１３−４は、３台のＦＤＣ１４−１〜１４−３およびＭＣ１５にそれぞれ対応して設けられている。これらのディスプレイ１３−１〜１３−４には、対応するコントローラーにおいて操作対象としている機能について作業を行うための画面が表示される。表示される画面の典型例としては、ＦＤＣ１４−１〜１４−３に対応するディスプレイ１３−１，１３−２，１３−３にはミキサー画面が表示され、ＭＣ１５に対応するディスプレイ１３−４にはメイン画面が表示される。ディスプレイ１３−１，１３−２，１３−３に表示されたミキサー画面を参照しながらそれぞれのＦＤＣのフェーダーを操作することにより、フェーダにアサインされたチャンネルのレベルを設定することができる。この場合、ＦＤＣ毎に操作するチャンネル等の操作対象が異なることから、ＦＤＣ毎に、その操作対象に合わせた内容の画面（例えば、ミキサー画面）が対応するディスプレイ１３−４，１３−２，１３−３に表示される。また、ディスプレイ１３−４に表示されたメイン画面を参照しながらＭＣ１５の操作子を操作することによりメイン画面の各種操作を行うことができる。
【００１３】
ＰＣ１０−１で動作している管理アプリＭは、音響信号処理システム１の全体を管理するアプリケーションであり、例えば、音響信号処理システム１内のデバイスの数、名前、アドレスなどを管理することができる。また、管理アプリＭは、４台のＰＣ１０−１〜１０−４と、本発明の実施例のコントローラーである３台のＦＤＣ１４−１，１４−２，１４−３およびＭＣ１５とのデバイス間の接続経路（論理結線）を確立したり、デバイス間の通信を仲介したりする。
【００１４】
３台のＦＤＣ１４−１〜１４−３とＭＣ１５とのコントローラーの制御対象が変更された時は、４台のディスプレイ１３−１〜１３−４に表示される画面は変更された制御対象のミキサー画面あるいはメイン画面に切り替えられる。制御対象は、３台のＦＤＣ１４−１〜１４−３あるいはＭＣ１５のいずれかにおいて制御対象を切り替える操作子を操作することにより、ＦＤＣ１４−１〜１４−３およびＭＣ１５の全体において一括して変更される。また、３台のディスプレイ１３−１，１３−２，１３−３においては、ＦＤＣ１４−１〜１４−３のいずれかにおいてメイン画面に切り替える操作子を操作することにより、操作したＦＤＣに対応するディスプレイに表示されているミキサー画面が、ディスプレイ１３−４に表示中のメイン画面に切り替えられるようになる。これにより、ＦＤＣにおいて操作子を操作する際にメイン画面を確認することができるようになる。
【００１５】
ここで、ＤＡＷａが動作しているＰＣ１０−２を例に挙げて、ＰＣ１０−２の図示しないディスプレイに表示されるＤＡＷａのＧＵＩ（Graphical User Interface）画面２０の一例を図４に示す。図示する例では、ＤＡＷａのＧＵＩ画面２０にはシーケンサーのメインウィンドウ２０ａとミキサーウィンドウ２０ｂとが表示されている。メインウィンドウ２０ａは、楽曲を制作できるＧＵＩとされ音響信号データの複数トラックの情報、および、トラック毎の音響信号データが時系列的に細長い矩形状で表示されている。再生時には、カーソル２０ｃがテンポに応じた速度でトラック上を右側に移動していき、カーソル位置の各トラックにおける音響信号データが再生される。また、ＤＡＷａで実現されているミキサー機能により、再生される際には、各トラックの音響信号データがミキサーにより混合されて出力されるようになる。ミキサーウィンドウ２０ｂには、各トラックの音響信号データを混合するミキサーのＧＵＩであり、各トラックの混合レベルを調整するための複数チャンネル分のフェーダーが少なくとも表示されており、そのフェーダーの摘みを画面上でドラッグして移動することにより、当該フェーダーにアサインされたトラックのレベルを調整して、混合されるレベルを調整することができる。
【００１６】
ＤＡＷｂ、ＤＡＷｃが動作しているＰＣ１０−３，１０−４にそれぞれ設けられている図示しないディスプレイにおいても図４に示すＧＵＩ画面２０と同様の画面が表示される。そして、ＭＣ１５に対応するディスプレイ１３−４にメイン画面を表示する場合は、ＧＵＩ画面２０におけるメインウィンドウ２０ａと同様のメイン画面が表示される。また、ＦＤＣ１４−１〜１４−３に対応するディスプレイ１３−１〜１３−３にミキサー画面を表示する場合は、ＧＵＩ画面２０におけるミキサーウィンドウ２０ｂと同様のＦＤＣ１４−１〜１４−３用のミキサー画面がそれぞれ表示される。この場合、ＦＤＣ１４−１〜１４−３が有するフェーダー数と同じ数のフェーダを有するミキサー画面が、対応するディスプレイ１３−１〜１３−３にそれぞれ表示される。すなわち、ＦＤＣ１４−１〜１４−３がそれぞれ８本のフェーダを有している場合は、対応するディスプレイ１３−１〜１３−３に８本のフェーダを有するミキサー画面が表示される。例えば、ＦＤＣ１４−１の各フェーダーには、メイン画面におけるトラックの内の第１トラックないし第８トラックがそれぞれアサインされ、この場合は、ディスプレイ１３−１に表示されるミキサー画面は、第１トラックないし第８トラックがアサインされたミキサー画面とされる。そして、ＦＤＣ１４−１のいずれかのフェーダーを操作すると、当該フェーダーにアサインされたトラックのレベルが調整されると共に、ディスプレイ１３−１に表示されている対応するミキサー画面において対応するフェーダーの摘み位置が変更されるようになる。また、ＦＤＣ１４−２，１４−３の各フェーダーにおいては、例えば第９トラックないし第１６トラック、第１７トラックないし第２４トラックがそれぞれアサインされ、ＦＤＣ１４−２，１４−３のいずれかのフェーダーが操作された際には、ディスプレイ１３−２，１３−３に表示されるミキサー画面における対応するフェーダーの表示が上記したように変更されるようになる。
【００１７】
次に、本発明の実施例の音響信号処理システム１において通信網２は第１の通信網２−１と第２の通信網２−２とにより構築されている。そこで、通信網２を構成している制御通信系の第１の通信網２−１の接続構成を図２に示す。第１の通信網２−１は、イーサネット（登録商標）により構築された通信網とされている。イーサネット（登録商標）は、コンピューターネットワークの規格の１つであり、一般的に使用されているＬＡＮ (Local Area Network) で最も使用されている技術規格である。
図２に示すように、第１の通信網２−１には、少なくとも８ポートのイーサネット（登録商標）端子を有するネットワークハブ１２が備えられている。また、管理アプリＭが動作しているＰＣ１０−１と、ＤＡＷａが動作しているＰＣ１０−２と、ＤＡＷｂが動作しているＰＣ１０−３と、ＤＡＷｃが動作しているＰＣ１０−４と、３台のＦＤＣ１４−１〜１４−３およびＭＣ１５は、イーサネット（登録商標）端子（ＲＪ−４５）をそれぞれ備えている。それぞれのイーサネット（登録商標）端子は、ネットワークハブ１２のイーサネット（登録商標）端子にＬＡＮケーブルを介して接続されて、デバイス相互間において制御信号の送受信が行えるようにされている。具体的には、ＰＣ１０−１〜１０−４は端子（ｅ）がイーサネット（登録商標）端子とされ、ＰＣ１０−１の端子（ｅ）がＬＡＮケーブルを介してネットワークハブ１２の端子ＬＡＮ１に、ＰＣ１０−２の端子（ｅ）がＬＡＮケーブルを介してネットワークハブ１２の端子ＬＡＮ２に、ＰＣ１０−３の端子（ｅ）がＬＡＮケーブルを介してネットワークハブ１２の端子ＬＡＮ３に、ＰＣ１０−４の端子（ｅ）がＬＡＮケーブルを介してネットワークハブ１２の端子ＬＡＮ４に接続されている。
【００１８】
また、ＦＤＣ１４−１〜１４−３はそれぞれイーサネット（登録商標）端子であるＥＴ１，ＥＴ２，ＥＴ３を備え、ＭＣ１５はイーサネット（登録商標）端子であるＥＴ４を備えている。そして、ＦＤＣ１４−１の端子ＥＴ１がＬＡＮケーブルを介してネットワークハブの端子ＬＡＮ５に、ＦＤＣ１４−２の端子ＥＴ２がＬＡＮケーブルを介してネットワークハブの端子ＬＡＮ６に、ＦＤＣ１４−３の端子ＥＴ３がＬＡＮケーブルを介してネットワークハブの端子ＬＡＮ７に、ＭＣ１５の端子ＥＴ４がＬＡＮケーブルを介してネットワークハブの端子ＬＡＮ８に接続されている。これにより、管理アプリＭとＦＤＣ１４−１〜１４−３およびＭＣ１５との間の制御情報のやりとりが、ネットワークハブ１２を介して可能になると共に、ＤＡＷａ、ＤＡＷｂ、ＤＡＷｃとＦＤＣ１４−１〜１４−３およびＭＣ１５との間の制御情報のやりとりがネットワークハブ１２を介して可能になる。これにより、第１の通信網２−１においてネットワークハブ１２に接続されているデバイス間では、ネットワークハブ１２を介して、制御情報のやり取りを行うことができる。例えば、３台のＦＤＣ１４−１〜１４−３とＭＣ１５とのコントローラーの制御対象がＤＡＷａとされている時に、ＦＤＣ１４−１〜１４−３におけるいずれかのフェーダーが操作されると、当該フェーダーの操作情報（フェーダーの操作内容を表す制御情報）がイーサネット（登録商標）によりＤＡＷａに送信されて、この操作情報を受信したＤＡＷａにおいて、当該フェーダーにアサインされているトラックのレベルが調整されるようになる。
【００１９】
次に、本発明の実施例の音響信号処理システム１における通信網２を構成している表示通信系の第２の通信網２−２の接続構成を図３に示す。
図３に示すように第２の通信網２−２においては、ディスプレイ１３−１〜１３−４に表示される画面を切り替える４台のディスプレイ切替器１１−１，１１−２，１１−３，１１−４を備えている。ＰＣ１０−２〜１０−４は、画像情報を出力するそれぞれ４つのディスプレイ端子（１），（２），（３），（４）を備えており、ディスプレイ端子（１）からはＦＤＣ１４−１用のミキサー画面の画像情報が出力され、ディスプレイ端子（２）からはＦＤＣ１４−２用のミキサー画面の画像情報が出力され、ディスプレイ端子（３）からはＦＤＣ１４−３用のミキサー画面の画像情報が出力され、ディスプレイ端子（４）からはＭＣ１５用のメイン画面の画像情報が出力される。そして、ＰＣ１０−２〜１０−４のそれぞれのディスプレイ端子（１）は、ディスプレイ切替器１１−１の入力端子ＤＩ１１，ＤＩ１２，ＤＩ１３にそれぞれ接続され、ＰＣ１０−２〜１０−４のそれぞれのディスプレイ端子（２）は、ディスプレイ切替器１１−２の入力端子ＤＩ２１，ＤＩ２２，ＤＩ２３にそれぞれ接続され、ＰＣ１０−２〜１０−４のそれぞれのディスプレイ端子（３）は、ディスプレイ切替器１１−３の入力端子ＤＩ３１，ＤＩ３２，ＤＩ３３にそれぞれ接続されている。
【００２０】
これにより、ＤＡＷａ、ＤＡＷｂ、ＤＡＷｃにおけるＦＤＣ１４−１用のミキサー画面のそれぞれの画像情報がディスプレイ切替器１１−１に入力され、ＤＡＷａ、ＤＡＷｂ、ＤＡＷｃにおけるＦＤＣ１４−２用のミキサー画面のそれぞれの画像情報がディスプレイ切替器１１−２に入力され、ＤＡＷａ、ＤＡＷｂ、ＤＡＷｃにおけるＦＤＣ１４−３用のミキサー画面のそれぞれの画像情報がディスプレイ切替器１１−３に入力される。また、ＰＣ１０−２〜１０−４のそれぞれのディスプレイ端子（４）は、ディスプレイ切替器１１−４の入力端子ＤＩ４１，ＤＩ４２，ＤＩ４３にそれぞれ接続されている。これにより、ＤＡＷａ、ＤＡＷｂ、ＤＡＷｃにおけるＭＣ１５用のメイン画面のそれぞれの画像情報がディスプレイ切替器１１−４に入力される。そして、ディスプレイ切替器１１−１の画像情報の出力端子ＤＯ１はディスプレイ１３−１の入力端子ＲＳ１に接続され、ディスプレイ切替器１１−２の画像情報の出力端子ＤＯ２はディスプレイ１３−２の入力端子ＲＳ２に接続され、ディスプレイ切替器１１−３の画像情報の出力端子ＤＯ３はディスプレイ１３−３の入力端子ＲＳ３に接続される。また、ディスプレイ切替器１１−４の画像情報の出力端子ＤＯ４１はディスプレイ１３−４の入力端子ＲＳ４に接続され、出力端子ＤＯ４２はディスプレイ切替器１１−１の入力端子ＤＩ１０に接続され、出力端子ＤＯ４３はディスプレイ切替器１１−２の入力端子ＤＩ２０に接続され、出力端子ＤＯ４４はディスプレイ切替器１１−３の入力端子ＤＩ３０に接続されている。
【００２１】
ＰＣ１０−２〜１０−４のディスプレイ端子（１）〜（４）と、ディスプレイ切替器１１−１〜１１−４の入力端子ＤＩ１０〜ＤＩ１３，入力端子ＤＩ２０〜ＤＩ２３，入力端子ＤＩ３０〜ＤＩ３３，入力端子ＤＩ４０〜ＤＩ４３および出力端子ＤＯ１，出力端子ＤＯ２，出力端子ＤＯ３，出力端子ＤＯ４１〜ＤＯ４４と、ディスプレイ１３−１〜１３−４の入力端子ＲＳ１〜ＲＳ４は、ＲＳ−２３２端子やＲＳ−４２２端子とされる。ＲＳ−２３２およびＲＳ−４２２は、それぞれシリアル通信方式のインターフェース規格の一つである。また、ＲＳ−２３２端子やＲＳ−４２２端子に替えてＤＶＩ（Digital Visual Interface）入力端子やＤＶＩ出力端子を用いてもよい。ＤＶＩは、コンピュータとディスプレイを接続するためのインターフェース規格の一つである。
【００２２】
また、第２の通信網２−２においては、ＦＤＣ１４−１の通信端子ＣＯＭ１はディスプレイ切替器１１−１の切替信号入力端子ＣＩ１に接続され、ＦＤＣ１４−２の通信端子ＣＯＭ２はディスプレイ切替器１１−２の切替信号入力端子ＣＩ２に接続され、ＦＤＣ１４−３の通信端子ＣＯＭ３はディスプレイ切替器１１−３の切替信号入力端子ＣＩ３に接続され、ＭＣ１５の通信端子ＣＯＭ４はディスプレイ切替器１１−４の切替信号入力端子ＣＩ４に接続されている。ＦＤＣ１４−１〜１４−３およびＭＣ１５の通信端子ＣＯＭ１〜４と、ディスプレイ切替器１１−１〜１１−４の切替信号入力端子ＣＩ１〜ＣＩ４は、ＲＳ−２３２端子やＲＳ−４２２端子、あるいはＵＳＢ端子とされる。ＵＳＢ（Universal Serial Bus）は、周辺機器とコンピューターを結ぶデータ伝送路の規格のひとつである。ディスプレイ切替器１１−１〜１１−４は、複数のＰＣ１０−２〜ＰＣ１０−４から送られているミキサー画面やメイン画面の画像情報の内の、選択された制御対象のＤＡＷの画像情報のみを、自己の出力端子ＤＯ１，ＤＯ２，ＤＯ３，ＤＯ４１から出力するように制御することで、自己に対応するディスプレイへ送っている。
このように、第２の通信網２−２は、各デバイスに備えられている端子間を端子に対応した規格のケーブルで接続することにより構築されており、ＤＡＷａ、ＤＡＷｂ、ＤＡＷｃから出力されるＦＤＣ１４−１〜１４−３用のミキサー画面や、ＭＣ１５用のメイン画面を対応するディスプレイ１３−１〜１３−４に表示させるための表示通信系の通信網とされている。そして、第２の通信網２−２では、ＦＤＣ１４−１〜１４−３およびＭＣ１５の制御対象が変更された際には、ディスプレイ１３−１〜１３−４に表示させる画像情報を一括して自動的に切り替えて、制御対象のミキサー画面およびメイン画面を対応するディスプレイ１３−１〜１３−４に表示している。
【００２３】
次に、フェーダーコントローラー（ＦＤＣ）１４で代表されるＦＤＣ１４−１〜１４−３のハードウェア構成を示す回路ブロック図を図５に示す。
図５に示すＦＤＣ１４のハードウェア構成において、ＣＰＵ（Central Processing Unit）３３は管理プログラム（ＯＳ：Operating System）を実行しており、ＦＤＣ１４の全体の動作をＯＳ上で制御している。フラッシュメモリ３４は、ＦＤＣ１４の動作ための各種プログラムが格納されると共にＣＰＵ３３のワークエリアや各種データが記憶される不揮発性のメモリである。ネットワークＩ／Ｏ３５は、ＦＤＣ１４を第１の通信網２−１に接続するためのイーサネット（登録商標）のインタフェースであり、その他Ｉ／Ｏ３６は、第２の通信網２−２に接続するためのＲＳ−２３２やＲＳ−４２２のシリアル通信のインタフェースやＵＳＢのインタフェースとされる。表示器３０は、ＦＤＣ１４のｃｈストリップにアサインされたトラックのチャンネル名等が表示される小型の液晶表示器等とされている。さらに、電動フェーダ３１はｃｈストリップ毎に設けられており、ｃｈストリップにアサインされたトラックのレベルを調整するフェーダである。操作子３２は、ｃｈストリップに割り当てるトラックの選択を行うスイッチや、制御対象のＤＡＷを切り替えるスイッチ、ミキサー画面からメイン画面に切り替えるスイッチ等とされる。各部はバス３７に接続されている。
ＭＣ１５のハードウェア構成は図示していないが、図５に示すＦＤＣ１４のハードウェア構成における電動フェーダ３１を省略したハードウェア構成とされている。
【００２４】
次に、フェーダーコントローラー（ＦＤＣ）１４で代表されるＦＤＣ１４−１〜１４−３のパネル構成を図６に示す。
図６に示すようにＦＤＣ１４のパネルには、例えば８本とされる複数本のｃｈストリップからなるｃｈストリップ部４０ａとコントロール部４０ｂとが設けられている。ｃｈストリップ部４０ａの各ｃｈストリップには、アサインされたトラックごとのレベル調整を行うためのフェーダー４１と複数のノブ４３等の操作子とｃｈ名表示部４２とが設けられている。ｃｈストリップ部４０ａのそれぞれのｃｈストリップには、操作対象として１トラックがアサインされ、アサインされたトラックのｃｈ名をｃｈ名表示部４２に表示することができる。そして、フェーダー４１を操作することにより操作対象のトラックのレベルを調整することができ、ノブ４３を操作することにより操作対象のトラックの所定のパラメータを調整することができる。
【００２５】
また、コントロール部４０ｂにおいては、ｃｈストリップ部４０ａでは行えない操作を行う操作子群である第１操作子４４と、第２操作子４５と、第３操作子４６と、切替スイッチ４７とが設けられている。第１操作子４４はｃｈストリップ部４０ａにおけるノブ４３へ割り当てるパラメータの種類を切り替えるための操作子であり、第２操作子４５はｃｈストリップ部４０ａの各ｃｈストリップに割り当てる操作対象のトラックを切り替えるための操作子であり、第３操作子４６はＦＤＣ１４の全般の操作を行う矢印スイッチやノブとされている。また、切替スイッチ４７は制御対象とされるＤＡＷを切り替える切替スイッチであり、「ａ」が表記されたボタン４７ａを押すことにより制御対象をＤＡＷａに切り替えられ、「ｂ」が表記されたボタン４７ｂを押すことにより制御対象をＤＡＷｂに切り替えられ、「ｃ」が表記されたボタン４７ｃを押すことにより制御対象をＤＡＷｃに切り替えられる。さらに、「Ｍ」が表記されたボタン４７Ｍを押すことにより対応するディスプレイに制御対象のメイン画面を表示するように切り替えることができる。
【００２６】
次に、メインコントローラー（ＭＣ）１５のパネル構成を図７に示す。ＭＣ１５はＦＤＣ１４の機能を拡張するためのコントローラーとされており、図７に示すようにＭＣ１５のパネルには、ｃｈストリップ部は設けられていない。ＭＣ１５のパネルには、基本的にＦＤＣ１４のコントロール部４０ｂとは異なる操作を行うためのノブやボタン等の複数の操作子が設けられている。ただし、一部の操作子においてはコントロール部４０ｂと重なる操作子もある。典型的には、ＤＡＷのメイン画面の各種操作を行うための複数の操作子がＭＣ１５のパネルに配置されている。また、制御対象とされるＤＡＷを切り替える切替スイッチ５１が設けられており、「ａ」が表記されたボタン５１ａを押すことにより制御対象をＤＡＷａに切り替えられ、「ｂ」が表記されたボタン５１ｂを押すことにより制御対象をＤＡＷｂに切り替えられ、「ｃ」が表記されたボタン５１ｃを押すことにより制御対象をＤＡＷｃに切り替えられる。この場合、コントローラーの操作子にＰＣ１０−２〜１０−４のいずれかに固定された操作子を設けることができ、この固定の操作子については制御対象のＤＡＷの切り替えの影響を受けることなく制御対象が固定される。なお、ＭＣ１５のパネルには、メイン画面に切り替える「Ｍ」が表記された切替スイッチは設けられていない。これは、「Ｍ」が表記された切替スイッチはＦＤＣ用のディスプレイ１３−１〜１３−３にＭＣ１５用のディスプレイ１３−４に表示中のメイン画面を表示するためのスイッチであり、ＭＣ１５では不要とされているからである。
【００２７】
なお、詳細は後述するが、ＦＤＣ１４のパネルに設けられている切替スイッチ４７あるいはＭＣ１５のパネルに設けられている切替スイッチ５１のいずれかを操作して制御対象を切り替えた場合は、３台のＦＤＣ１４−１〜１４−３およびＭＣ１５の制御対象が一括して切り替えられると共に、対応するディスプレイ１３−１〜１３−４の表示画面も切り替えられて、ディスプレイ１３−１〜１３−４に切り替えられた制御対象のＤＡＷ用のミキサー画面あるいはメイン画面が表示されるようになる。これにより、ＦＤＣ１４−１〜１４−３のｃｈストリップ部４０ａと、コントロール部４０ｂの操作子、および、ＭＣ１５の操作子を使用して、対応するディスプレイ１３−１〜１３−４の画面を見ながら切り替えられた制御対象のＤＡＷにおける各種設定の調整を行うことができる。この場合、通信網２に接続されているＦＤＣ１４−１〜１４−３とＭＣ１５とのすべてのコントローラーはリンクして動作しており、切り替えられた制御対象のＤＡＷ（ＰＣ）へＦＤＣ１４−１〜１４−３およびＭＣ１５から制御情報が第１通信網２−１を介して送信されて、切り替えられた制御対象のＤＡＷを制御することができるようになる。
【００２８】
次に、切替スイッチが操作された際に、切替スイッチが操作されたコントローラーで実行されるＤＡＷ切替の処理のフローチャートを図８に示す。
ＦＤＣ１４−１〜１４−３に設けられている切替スイッチ４７のボタン４７ａ〜４７ｃあるいはＭＣ１５に設けられている切替スイッチ５１のボタン５１ａ〜５１ｃのいずれかが操作されると、ＦＤＣ１４−１〜１４−３およびＭＣ１５の内の上記ボタンが操作されたコントローラーにおいて図８に示すＤＡＷ切替の処理がスタートする。ＤＡＷ切替の処理がスタートされるとステップＳ１０にてボタン４７ａ〜４７ｃあるいはボタン５１ａ〜５１ｃの内の操作されたボタンにより指示されたＤＡＷへ、制御対象を切り替える処理が行われる。この処理では、制御対象のＤＡＷを指示されたＤＡＷへ切り替える指示を第１の通信網２−１を利用して管理アプリＭ（ＰＣ１０−１）へ送り、この切り替えの指示を受けた管理アプリＭが、切り替えを指示されたＤＡＷが動作しているＰＣと切替スイッチが操作されたコントローラーとの第１の通信網２−１における制御通信経路を確立させる。これにより、以後に当該コントローラーにおいて操作した操作情報が、切り替えが指示されたＤＡＷへ送られて、当該ＤＡＷの各種制御に使用されるようになる。
【００２９】
ステップＳ１０の処理が終了するとステップＳ１１にて切替スイッチが操作されたコントローラーに対応しているディスプレイの表示対象を、制御対象に指示されたＤＡＷへ切り替える処理が行われる。この処理では、切替スイッチが操作されたコントローラーに対応しているディスプレイに画像情報を出力しているディスプレイ切替器へ当該コントローラーから切り替えコマンドを送る。これにより、当該ディスプレイ切替器は切り替えコマンドに基づいて、新たに制御対象に指示されたＤＡＷの画像情報を当該ディスプレイに送るように状態が切り替えられる。例えば、ＦＤＣ１４−１において切替スイッチ４７のボタン４７ａが押された場合は、ＦＤＣ１４−１の通信端子ＣＯＭ１から制御対象をＤＡＷａとする切り替えコマンドが出力されて、この切り替えコマンドが第２の通信網２−２を利用してディスプレイ切替器１１−１の切替信号入力端子ＣＩ１に送られる。ディスプレイ切替器１１−１では、受信した切り替えコマンドに基づいて入力端子ＤＩ１１に供給されているＰＣ１０−２のディスプレイ端子（１）からの画像情報を出力端子ＤＯ１から出力するように状態を切り替える。これにより、制御対象として指定されたＤＡＷａのミキサー画面の画像情報が出力端子ＤＯ１から出力され、第２の通信網を利用してディスプレイ１３−１の入力端子ＲＳ１に送られて、ディスプレイ１３−１に表示されるようになる。ディスプレイ１３−１に表示されるミキサー画面は、ＰＣ１０−２のディスプレイ端子（１）から出力されたＦＤＣ１４−１が操作対象とするチャンネル等に関するミキサー画面となる。
ステップＳ１１の処理が終了するとステップＳ１２にて、制御対象として指定されたＤＡＷの現在の各種設定状態や表示に関する各種データを当該ＤＡＷが動作しているＰＣから受信して、受信した各種データに従って切替スイッチが操作されたコントローラーの設定や表示を更新する。これにより、例えば切替スイッチがＦＤＣで操作された場合は、そのＦＤＣのフェーダの摘み位置が受信したフェーダーのデータに対応する位置まで移動するようになる。
【００３０】
次いで、ステップＳ１３にて制御対象を新たに指定されたＤＡＷへ切り替える指示を第１通信網２−１を利用して管理アプリＭに送る。切り替えの指示を受けた管理アプリＭは、切り替えを指示されたＤＡＷが動作しているＰＣと、音響信号処理システム１内の他のすべてのコントローラー（リンクされているすべてのコントローラー）との第１の通信網２−１における制御通信経路を確立させる。そして、これらのコントローラーに対して、新たな制御対象に切り替える指示を第１の通信網２−１を利用して送信する。例えば、ＦＤＣ１４−１において切替スイッチ４７のボタン４７ａが押された場合は、管理アプリＭはＦＤＣ１４−２，１４−３とＭＣ１５に対して制御対象をＤＡＷａとする切り替えの指示を第１の通信網２−１を利用して送信する。ステップＳ１３の処理が終了するとＤＡＷ切替の処理は終了する。
【００３１】
なお、管理アプリＭから切り替えの指示を受信したＦＤＣ１４−２，１４−３とＭＣ１５においては、図８に示すＤＡＷ切替の処理の内のステップＳ１０ないしステップＳ１２の処理がそれぞれ実行される。ここで実行されるＤＡＷ切替の処理の概要を説明すると、ＦＤＣ１４−２，１４−３とＭＣ１５のそれぞれにおいてＤＡＷ切替の処理が実行されると、これらの通信端子ＣＯＭ２〜４から制御対象をＤＡＷａとする切り替えコマンドがそれぞれ出力されて、ディスプレイ切替器１１−２〜１１−４の切替信号入力端子ＣＩ２〜ＣＩ４にそれぞれ送られる。ディスプレイ切替器１１−２〜１１−４では、受信した切り替えコマンドに基づいて入力端子ＤＩ２１，ＤＩ３１，ＤＩ４１に供給されているＰＣ１０−２のディスプレイ端子（２），（３），（４）からの画像情報を、それぞれ出力端子ＤＯ２，ＤＯ３，ＤＯ４１から出力するように状態を切り替える。これにより、制御対象として指定されたＤＡＷａのミキサー画面の画像情報が出力端子ＤＯ２，ＤＯ３からそれぞれ出力され、第２の通信網を利用してディスプレイ１３−２，１３−３の入力端子ＲＳ２，ＲＳ３に送られて、ディスプレイ１３−２，１３−３にそれぞれ表示されるようになる。ディスプレイ１３−２，１３−３にそれぞれ表示されるミキサー画面は、ＰＣ１０−２のディスプレイ端子（２）（３）から出力されたＦＤＣ１４−２，１４−３がそれぞれ操作対象とするチャンネル等に関するミキサー画面となる。また、制御対象として指定されたＤＡＷａのメイン画面の画像情報がディスプレイ切替器１１−４の出力端子ＤＯ４１から出力され、第２の通信網を利用してディスプレイ１３−４の入力端子ＲＳ４に送られて、ディスプレイ１３−４に表示されるようになる。ディスプレイ１３−４に表示されるメイン画面は、ＰＣ１０−２のディスプレイ端子（４）から出力されたＭＣ１５が操作対象とするメイン画面となる。
【００３２】
これにより、いずれかのコントローラーにおいて切替スイッチが操作されると、切替スイッチが操作されたコントローラーにおいてＤＡＷ切替の処理が実行されて、そのコントローラに対応するディスプレイに新たな制御対象のミキサー画面あるいはメイン画面が表示されるようになる。そして、このＤＡＷ切替の処理において、リンクされている他のすべてのコントローラーに対して、新たな制御対象に切り替える指示が送られる。この切り替える指示により各コントローラーにおいても、ＤＡＷ切替の処理が一部の処理を除いて実行されて、そのコントローラに対応するディスプレイに新たな制御対象のミキサー画面あるいはメイン画面が表示されるようになる。
なお、ＦＤＣ１４−１〜１４−３およびＭＣ１５をカスケード接続することができ、カスケード接続されている場合は、カスケード接続を介して制御対象を新たに指定されたＤＡＷへ切り替える指示を他のコントローラーに送るようにしてもよい。
また、ＤＡＷ切替の処理におけるステップＳ１３の処理は制御対象を切り替える切替スイッチが操作されたコントローラーにおいてのみ実行され、管理アプリＭあるいは他のコントローラーから切り替える指示を受信したコントローラにおいてはその処理がスキップされる。
【００３３】
次に、メイン画面の切替スイッチを備えるフェーダーコントローラーのみで実行されるメイン切替の処理のフローチャートを図９に示す。
ＦＤＣ１４−１〜１４−３に設けられている切替スイッチ４７のボタン４７Ｍのいずれかが操作されると、ＦＤＣ１４−１〜１４−３の内のボタン４７Ｍが操作されたＦＤＣにおいて図９に示すメイン切替の処理がスタートする。メイン切替の処理がスタートされると、ステップＳ２０にてボタン４７Ｍが操作されたＦＤＣに対応するディスプレイに画像情報を供給しているディスプレイ切替器へ、当該ディスプレイへ供給する画像情報を、ＭＣ１５に対応するディスプレイ１３−４に表示中のメイン画面の画像情報へ切り替えるコマンドを送る。例えば、ＦＤＣ１４−１で切替スイッチ４７のボタン４７Ｍが押された場合は、入力端子ＤＩ１０に入力されている画像情報を出力端子ＤＯ１から出力する切り替えコマンドを第２の通信網２−２を利用してディスプレイ切替器１１−１に送る。これにより、簡単な操作を行うことで出力端子ＤＯ１からの画像情報が供給されているＦＤＣ１４−１に対応するディスプレイ１３−１に、ＭＣ１５用のディスプレイ１３−４に表示中の制御対象のＤＡＷのメイン画面が表示されるようになる。このメイン画面を参照することにより、ＦＤＣ１４−１の操作子を操作する時に制御対象のＤＡＷの全体の状態を確認することができる。
【００３４】
この時に、ディスプレイ切替器１１−１の入力端子ＤＩ１０に入力されている画像情報は、ディスプレイ切替器１１−４の出力端子ＤＯ４２から出力された画像情報とされている。そして、ディスプレイ切替器１１−４の入力端子ＤＩ４１〜ＤＩ４３にはＤＡＷａ、ＤＡＷｂ、ＤＡＷｃが動作しているＰＣの端子（４）から出力されたメイン画面の画像情報が入力されており、ディスプレイ切替器１１−４では制御対象のＤＡＷのメイン画面が選択されて、その画像情報が全ての出力端子ＤＯ４１〜ＤＯ４４から出力されている。これにより、切り替えコマンドを受けたディスプレイ切替器１１−１では出力端子ＤＯ１から制御対象のＤＡＷのメイン画面の画像情報が出力されて、ディスプレイ１３−１に供給され表示されるようになる。ステップＳ２０の処理が終了するとメイン切替の処理は終了する。
なお、メイン切替の処理は切替スイッチ４７のボタン４７Ｍが操作されたＦＤＣのみで実行され、ボタン４７Ｍが操作されたＦＤＣに対応するディスプレイについてのみ制御対象のＤＡＷのメイン画面が表示されるようになる。そして、音響信号処理システム１内の他のコントローラーに対してはメイン画面の切り替えの指示は出力されない。すなわち、メイン画面の切替スイッチが押されていないＦＤＣでは、ディスプレイに表示されていたミキサー画面が引き続き表示される。
また、切替スイッチ４７のボタン４７Ｍが操作されたＦＤＣに対応するディスプレイに表示されたメイン画面を元のミキサー画面に戻す場合は、もう一度切替スイッチ４７のボタン４７Ｍを操作する。あるいは、切替スイッチ４７のボタン４７Ｍを押している間だけ操作されたＦＤＣに対応するディスプレイにメイン画面を表示して、切替スイッチ４７のボタン４７Ｍが離された時にメイン画面から元のミキサー画面に戻すようにしてもよい。
【産業上の利用可能性】
【００３５】
以上説明したように、本発明にかかる音響信号処理システムは、音響信号データの音響処理を行う音響信号処理アプリケーション（ＤＡＷソフト）がインストールされている複数のコンピュータと、音響信号処理アプリケーションで実現される音響信号処理機能（ＤＡＷ）のうちの制御対象とされる音響信号処理機能の制御を行う複数のフェーダーコントローラーとメインコントローラーとの２種類からなるコントローラーと、フェーダーコントローラーのそれぞれに対応して設けられ、音響信号処理機能のミキサー画面が表示される第１ディスプレイと、メインコントローラーに対応して設けられ、音響信号処理機能のメイン画面が表示される第２ディスプレイとが通信網に接続されて構成されている。
そして、コントローラーの１つにおいてコントローラーの制御対象となる音響信号処理機能の切り替えが指示された際に、当該コントローラーは、新たな制御対象の音響信号処理機能の画面に切り替える指示を出力すると共に、通信網を利用して他の各コントローラーに新たな制御対象の音響信号処理機能の画面に切り替える指示を送る。これにより、各コントローラーに対応するディスプレイに新たな制御対象の音響信号処理機能の画面が表示されるようになる。
【００３６】
また、フェーダーコントローラーの１つにおいてメイン画面への切り替えが指示された際に、当該フェーダーコントローラーは、メイン画面に切り替える指示を出力する。これにより、当該コントローラーに対応するディスプレイに第２ディスプレイに表示中のメイン画面が表示されるようになる。なお、画面の切替はボタン４７Ｍによるメイン画面のへの切替以外に、ＦＤＣ１４−１のコントローラー画面、ＦＤＣ１４−２のコントローラー画面、ＦＤＣ１４−３のコントローラー画面との切替であっても良い。さらに、画面を切り替える切替スイッチ４７は、切替先の画面を特定できる操作子であればどのような構成でも良い、例えば、切り替える画面毎に専用のスイッチを設けるようにしても良い。このように、本発明においては、切替を行う他の画面はメイン画面に特定されず、他の画面であればどのような画面であってもよく、音響信号処理システムに含まれる画面の数（コントローラーの数）だけの切替スイッチを設けることができる。
【００３７】
本発明の音響信号処理システムにおいては、接続されるＰＣの数や、ディスプレイ切替器、ディスプレイ、コントローラーの数はいくつでもよい。この場合、音響信号処理システムに接続されたコントローラーの数と同数のディスプレイが接続されていることが好適であり、ディスプレイの数と同数のディスプレイ切替器が接続されていることが好適とされる。そして、ディスプレイの機能をＰＣやコントローラーに内蔵させても良いし、ディスプレイ切替器の機能をＰＣやコントローラーに内蔵させても良い。
また、コントローラーとディスプレイ切替器の間の通信を第１の通信網２−１を利用して行ってもよい。この場合は、ディスプレイ切替器にイーサネット（登録商標）端子を持たせ、ディスプレイ切替器をネットワークハブへ接続し、第１の通信網２−１を利用してコントローラーからディスプレイ切替器へ切替コマンドを送るようにする。
さらに、表示に関する情報の通信も第１の通信網２−１を利用して行ってもよい。この場合は、ディスプレイ切替器を省略すると共にディスプレイにイーサネット（登録商標）端子を持たせて、ディスプレイをネットワークハブへ接続し、表示するよう指示されている画像情報をディスプレイがＰＣから受信するための論理通信経路を確立する。ＰＣは、イーサネット（登録商標）端子から画像情報を出力する。
【００３８】
さらにまた、管理アプリＭをＤＡＷが動作しているＰＣにおいて起動するようにしてもよいし、管理アプリＭをコントローラーで起動させて、管理アプリＭの機能をコントローラーに持たせてもよい。この場合には、管理アプリＭの処理をコントローラーが行うことになる。
なお、第１の通信網２−１はイーサネット（登録商標）により構築されることに限らず、他の通信の技術規格により構築するようにしてもよい。また、第２の通信網２−２は、ＲＳ−２３２，ＲＳ４２２やＵＳＢに限らず他の通信規格を用いるようにしてもよい。
上記した第２の通信網２−２においては、ディスプレイ切替器１１−４の出力端子ＤＯ４２〜ＤＯ４４を、他のディスプレイ切替器１１−１〜１１−３の入力端子ＤＩ１０，ＤＩ２０，ＤＩ３０にそれぞれ接続することにより、メイン画面の画像情報をディスプレイ切替器１１−１〜１１−３に供給していたが、これに替えて、ＰＣ１０−２から１０−４の端子（４）から出力されるＤＡＷａ、ＤＡＷｂ、ＤＡＷｃのメイン画面の画像情報を、ディスプレイ切替器１１−１〜１１−３にそれぞれ供給するようにしてもよい。この場合は、メイン画面への切り替えコマンドを受けたディスプレイ切替器１１−１〜１１−３においては、制御対象のＤＡＷのメイン画面を選択して出力端子からその画像情報を出力するように切り替えることになる。
【符号の説明】
【００３９】
１  音響信号処理システム、２  通信網、２−１  第１の通信網、２−２  第２の通信網、１０  通信網、１１−１〜１１−４  ディスプレイ切替器、１２  ネットワークハブ、１３−１〜１３−４  ディスプレイ、１４−１〜１４−３  フェーダーコントローラー、１５  メインコントローラー、２０  ＧＵＩ画面、２０ａ  メインウィンドウ、２０ｂ  ミキサーウィンドウ、２０ｃ  カーソル、３０  表示器、３１  電動フェーダ、３２  操作子、３３  ＣＰＵ、３４  フラッシュメモリ、３５  ネットワークＩ／Ｏ、３６  その他Ｉ／Ｏ、３７  バス、４０ａ  ｃｈストリップ部、４０ｂ  コントロール部、４１  フェーダー、４２  ｃｈ名表示部、４３  ノブ、４４  第１操作子、４５  第２操作子、４６  第３操作子、４７  切替スイッチ、４７Ｍ  ボタン、４７ａ〜４７ｃ  ボタン、５１  切替スイッチ、５１ａ〜５１ｃ  ボタン
【図１】
2013138358.tif 000003
【図２】
2013138358.tif 000004
【図３】
2013138358.tif 000005
【図４】
2013138358.tif 000006
【図５】
2013138358.tif 000007
【図６】
2013138358.tif 000008
【図７】
2013138358.tif 000009
【図８】
2013138358.tif 000010
【図９】
2013138358.tif 000011